【事件の表示】
　特願２００６−５２０４５９号「ランプ保持具及びそれを用いた表示装置用照明装置及びそれを用いた表示装置及び表示装置用照明装置を用いた液晶表示装置」拒絶査定不服審判事件〔２００６年　６月　８日国際公開、ＷＯ２００６／０５９４６４号〕について、次のとおり審決する。
【結　論】
　本件審判の請求は、成り立たない。
【理　由】
１．手続きの経緯
　本件出願は、２００５年１１月８日（優先権主張２００４年１１月３０日、日本国）を国際出願日とする国際出願であって、平成１９年２月２３日付けで拒絶査定がされ、これに対し、同年３月２８日に拒絶査定不服審判が請求されたものである。
　その後、当審において、同年６月１日付けで拒絶の理由が通知され、これに対し、同年８月６日に手続補正がなされたものである。
　
２．本願発明
　本件出願の請求項１に係る発明は、平成１９年８月６日付け手続補正書により補正された特許請求の範囲の請求項１に記載された事項により特定される次のとおりのものにある（以下「本願発明」という。）。
　
「ベース部材に対してランプを取り付けるためのものであって、
　前記ベース部材に宛われる取付板と、
　この取付板からベース部材側へ突出する基部及びその基部の先端から前記取付板側に向かって延出された弾性係止片からなる係止部と、
　前記取付板から前記ベース部材とは反対側へ突出してなり、前記ランプを保持するランプ保持部と、を備え、
　前記弾性係止片には、前記係止部が前記ベース部材に設けられた取付孔内に挿入されて前記ベース部材の裏側に至ったときに前記取付孔の周縁に係止される係止面が形成されており、
　前記取付板における前記ベース部材との対向面のうち、前記係止部を挟んだ少なくとも２箇所、若しくは隣り合う係止部間の少なくとも１箇所には、前記ベース部材側へ突出するとともに取り付け時にベース部材に当接可能な当接部が設けられ、
　前記係止部は、隣り合う前記当接部の概ね中心位置に配設され、且つ隣り合う前記ランプ保持部の概ね中心位置に配設されており、
　前記当接部は、前記係止部を前記ベース部材に設けられた取付孔内に挿入して前記当接部を前記ベース部材に当接させた状態では前記係止面が前記取付孔の内部に位置しており、その状態から少なくとも前記取付板の前記当接部と前記係止部との間に位置する部分を前記ベース部材の方向に弾性変形させることにより前記係止部を前記取付孔内により深く押し込んだときに前記係止面が前記ベース部材の裏側に至って前記取付孔の周縁と係止する突出寸法に設定されていることを特徴とするランプ保持具。」
　
３．引用例
　当審で通知した拒絶の理由に引用された本件出願前に頒布された刊行物である特開２００３−３４６５４１号公報（以下「引用例１」という。）には、図１〜図１２とともに以下の事項が記載されている。
　
（イ）「【０００８】
【課題を解決するための手段】そこで、上記の問題を解決するために本発明は、光源を支持する支持部と、係止部とを有し、前記係止部を被装着板に設けた貫通孔に装着することにより、前記支持部に支持された光源を前記被装着板に取り付ける光源支持装置であって、前記支持部を透明材にて形成するとともに、前記係止部を有色材にて形成したことを特徴とする光源支持装置とする。このように形成することにより、光源から発せられる光が被装着板の光源とは相対する側に透過することを防止することができる。」
　
（ロ）「【００２０】なお、各実施形態においては、光源として蛍光管を用い、被装着板として反射板を用いた場合を例にして説明する。
【００２１】図１を参照して、光源支持装置１は、基体４に、円環状の蛍光管５を支持するための支持部２と、基体４の支持部２配置側とは相対する側に設けられた係止部３とが取り付けられた形状をしている。
【００２２】支持部２は、透明材料から形成され、その断面が円弧の一部を切り欠いた形状に形成されており、切り欠いた個所に蛍光管５を嵌め込むことにより、蛍光管５を支持部２に固定できるようになっている。
【００２３】さらに、係止部３は有色材料から形成されており、その基体４側は反射板６に設けられた貫通孔７より僅かに径が小さい首部３ａと、貫通孔７より径が大きい頭部３ｂが備えられるものである。そして、貫通孔７に係止部３を取り付けたときには、貫通孔７に首部３ａが嵌まり込み、頭部３ｂが反射板６の光源配置側と相対する側の面と当接することにより、光源支持装置１を反射板６から抜け落ちることを防止するものである。
【００２４】また、基体４は、支持部２と同様に透明材料から形成されており、支持部２の台座としての役割を備えるものである。」
　
（ハ）図１（ｂ）には、被装着板である反射板６に基体４が宛われる点、支持部２が基体４から被装着板である反射板６とは反対側へ突出している点、係止部３が隣り合う支持部２の間に２つ設けられている点が図示されている。
　
　そして、前記（ロ）の「係止部３は有色材料から形成されており、その基体４側は反射板６に設けられた貫通孔７より僅かに径が小さい首部３ａと、貫通孔７より径が大きい頭部３ｂが備えられるものである。」、「貫通孔７に係止部３を取り付けたときには、貫通孔７に首部３ａが嵌まり込み、頭部３ｂが反射板６の光源配置側と相対する側の面と当接することにより、光源支持装置１を反射板６から抜け落ちることを防止するものである。」という記載と、図１（ｂ）の図示内容をあわせてみると、図１（ｂ）には「３ａ」、「３ｂ」の符号が示されていないものの、引用例１には、基体４から被装着板側へ突出する首部３ａ及びその首部３ａの先端に設けられる頭部３ｂからなる係止部３を備え、頭部３ｂは、係止部３が被装着板に設けられた貫通孔７に取り付けられたとき被装着板の光源配置側と相対する側の面と貫通孔７の周囲において当接する点が記載されていると認められる。
　
　したがって、前記引用例１記載事項（イ）、（ロ）及び図示内容（ハ）を総合すると、引用例１には、次の発明（以下「引用発明」という。）が記載されていると認められる。
　
「光源を被装着板に取り付けるためのものであって、
　前記被装着板に宛われる基体４と、
　この基体４から被装着板側へ突出する首部３ａ及びその首部３ａの先端に設けられる頭部３ｂからなる係止部３と、
　前記基体４から前記被装着板とは反対側へ突出してなり、前記光源を支持する支持部２と、を備え、
　前記頭部３ｂは、前記係止部３が前記被装着板に設けられた貫通孔７に取り付けられたとき前記被装着板の光源配置側と相対する側の面と貫通孔７の周囲において当接し、
　前記係止部３は、隣り合う前記支持部２の間に２つ設けられている光源支持装置。」
　
　また、当審で通知した拒絶の理由に引用された本件出願前に頒布された刊行物である実願昭５８−１５８４８１号（実開昭６０−６８１５４号）のマイクロフィルム（以下「引用例２」という。）には、第１図〜第７図とともに以下の事項が記載されている。
　
（ニ）「次に、本考案の第１実施例を第１図ないし第３図にしたがって説明すると、図中１は保持具であって、同保持具１は合成樹脂等からなるものであって、この保持具１は取付基板２、係止脚部４および保持部１０とが一体に形成されている。
　２は上記した保持具１の取付基板であって略長方形状に形成され、同基板２の図示左右の側縁下面には保持具１を取付けるドアーの内側パネル２７に当接する等長の脚片３，３が突出形成されている。なお、取付基板２は若干弾性変形可能に設けられている。」（明細書第３頁第８行〜同頁第１８行）　
　
（ホ）「したがって、ロッドＲを配設保持するには内側パネル２７の取付孔２８に係止脚部４の先端を当接して取付基板２に押圧力Ｆ1を加えると係止脚部４の弾性片６，６は取付孔２８に案内されて中央軸５側へ弾性変位され、肩部８が取付孔２８を通過すると同時に弾性片６，６は弾性復元して肩部８は取付孔２８の下面に係合されるとともに、首部９は取付孔２８の縁に当接され、また、取付基板２の脚片３は内側パネル２７の上面に当接されて弾性係着される。なお、この場合取付基板２は押圧力Ｆ1により若干そりかえり状に弾性変形されてその復元力で係止脚部４とにより係着される。」（明細書第７頁第１２行〜第８頁第４行）
　
４．対比
　そこで、本願発明と引用発明とを対比すると、引用発明の「光源」、「被装着板」は、それぞれ本願発明の「ランプ」、「ベース部材」に相当し、引用発明の「光源を被装着板に取り付ける」という事項は、本願発明の「ベース部材に対してランプを取り付ける」という事項に相当する。
　また、引用発明の「基体４」、「首部３ａ」、「貫通孔７」、「被装着板の光源配置側と相対する側」及び「光源支持装置」は、それぞれ本願発明の「取付板」、「基部」、「取付孔」、「ベース部材の裏側」及び「ランプ保持具」に相当し、引用発明の「首部３ａの先端に設けられる頭部３ｂ」と、本願発明の「基部の先端から前記取付板側に向かって延出された弾性係止片」とは、ともに基部の先端に設けられた部材である点で共通している。そして、引用発明の「前記頭部３ｂは、前記係止部３が前記被装着板に設けられた貫通孔７に取り付けられたとき前記被装着板の光源配置側と相対する側の面と貫通孔７の周囲において当接する」という事項と、本願発明の「前記弾性係止片には、前記係止部が前記ベース部材に設けられた取付孔内に挿入されて前記ベース部材の裏側に至ったときに前記取付孔の周縁に係止される係止面が形成されており」という事項とは、本願発明の実施例である図３、図８をみると、係止面２６ａは、ベース１４の裏側の面に、取付孔１４ａの周囲において当接し、取付板２１をベース１４に取り付けるものであると認められるから、両者は、基部の先端に設けられた部材には、係止部がベース部材に設けられた取付孔内に挿入されてベース部材の裏側に至ったときに取付孔の周縁に係止される係止面が形成されているという点で共通している。
　さらに、引用発明の「光源を支持する支持部２」は、前記引用例１記載事項（ロ）によると、光源としての蛍光管５を嵌め込むものであるから、本願発明の「ランプを保持するランプ保持部」に相当する。
　そして、引用発明の「前記係止部３は、隣り合う前記支持部２の間に２つ設けられている」という事項と、本願発明の「前記係止部は、隣り合う前記当接部の概ね中心位置に配設され、且つ隣り合う前記ランプ保持部の概ね中心位置に配設されており」という事項とは、係止部が隣り合うランプ保持部の間に配設されている点で共通している。
　
　そうすると、本願発明と、引用発明とは、次の点で一致する。
「ベース部材に対してランプを取り付けるためのものであって、
　前記ベース部材に宛われる取付板と、
　この取付板からベース部材側へ突出する基部及びその基部の先端に設けられた部材からなる係止部と、
　前記取付板から前記ベース部材とは反対側へ突出してなり、前記ランプを保持するランプ保持部と、を備え、
　前記基部の先端に設けられた部材には、前記係止部が前記ベース部材に設けられた取付孔内に挿入されて前記ベース部材の裏側に至ったときに前記取付孔の周縁に係止される係止面が形成されており、
　前記係止部は、隣り合う前記ランプ保持部の間に配設されているランプ保持具。」
　
　一方で、両者は、次の点で相違する。
［相違点１］
　係止部の基部の先端に設けられた部材について、本願発明は「取付板側に向かって延出された弾性係止片」を有するのに対し、引用発明は「頭部３ｂ」を有するものの、前記のようなものであるとはいえない点。
　
［相違点２］
　本願発明が「前記取付板における前記ベース部材との対向面のうち、前記係止部を挟んだ少なくとも２箇所、若しくは隣り合う係止部間の少なくとも１箇所には、前記ベース部材側へ突出するとともに取り付け時にベース部材に当接可能な当接部が設けられ」、「前記当接部は、前記係止部を前記ベース部材に設けられた取付孔内に挿入して前記当接部を前記ベース部材に当接させた状態では前記係止面が前記取付孔の内部に位置しており、その状態から少なくとも前記取付板の前記当接部と前記係止部との間に位置する部分を前記ベース部材の方向に弾性変形させることにより前記係止部を前記取付孔内により深く押し込んだときに前記係止面が前記ベース部材の裏側に至って前記取付孔の周縁と係止する突出寸法に設定されている」のに対し、引用発明は、このような事項を有さない点。
　
［相違点３]
　係止部の配設位置について、本願発明は「隣り合う前記当接部の概ね中心位置」であり、「且つ隣り合う前記ランプ保持部の概ね中心位置」であるのに対し、引用発明は、隣り合うランプ保持部の間ではあるものの、前記のような位置であるとはいえない点。　
　
５．判断
［相違点１］について
　係止部の構造において、被装着体に設けた孔の周縁に係止される係止面を備え、係止部を取りつける部材側に向かって延出された弾性係止片を有するものは、例えば引用例２（特に弾性片６参照）等にも記載されているように本件出願前より周知の技術である。
　そして、引用発明の頭部３ｂも取付孔の周縁に係止される係止面を有するものであるから、この頭部３ｂの構造として、前記周知技術を適用し、取付板側に向かって延出された弾性係止片を用いることは当業者が容易に想到し得たものである。
　
［相違点２］について
　前記引用例２記載事項（ニ）、（ホ）及び図面の図示内容をみると、引用例２には、取付基板２（本願発明の「取付板」に相当）における内側パネル２７（本願発明の「ベース部材」に相当）との対向面のうち、係止脚部４（本願発明の「係止部」に相当）を挟んだ２箇所には、内側パネル２７側へ突出するとともに取り付け時に内側パネル２７に当接可能な脚片３（本願発明の「当接部」に相当）が設けられる点が記載されており、また、肩部８（本願発明の「係止面」に相当）が取付孔２８の下面に係合された状態において、取付基板２は押圧力Ｆ1により若干そりかえり状に弾性変形されてその復元力を係止脚部４に作用させる点が記載されている。
　そして、引用例２に記載された技術事項において、取付基板２をそりかえり状に弾性変形させることによる復元力を係止脚部４に作用させるためには、脚片３の突出寸法が、肩部８と取付基板２の下面との間の距離から内側パネル２７の板厚寸法を差し引いた値よりも大きく設定される必要があり、この場合における脚片３の突出寸法は、係止脚部４を内側パネル２７に設けられた取付孔２８内に挿入して脚片３を内側パネル２７に当接させた状態では肩部８が取付孔２８の内部に位置しており、その状態から取付基板２の脚片３と係止脚部４との間に位置する部分を内側パネル２７の方向に弾性変形させることにより係止脚部４を取付孔２８内により深く押し込んだときに肩部８が内側パネル２７の裏側に至って取付孔２８の周縁と係止する突出寸法であると認められる。
　そして、引用発明と、引用例２に記載の技術事項とは、ともに被装着体に設けた孔に係止部材を挿入して物品支持装置の係止を行うものであるから、物品支持装置の係止を行う点において両者は技術的に共通の分野に属するものといえる。
　また、該物品支持装置の係止を行う技術において、物品支持装置のがたつきを抑制する点は、当該技術に内在した課題ということができるものであるから、引用発明のランプ保持具の係止手段として、該内在した課題を解決するため、引用例２に記載された技術事項を適用し、本願発明の相違点２に係る発明特定事項とすることは当業者が容易に想到し得たものである。
　　
［相違点３］について
　引用例２には、第３図を参酌すると、係止脚部４（本願発明の「係止部」に相当）を隣り合う脚片３（本願発明の「当接部」に相当）の概ね中心位置に１つ配設する点が記載されている。
　そして、被装着体に設けた孔に係止部材を挿入して係止される物品支持装置において、隣り合う物品保持部の概ね中心位置に１つの係止部材を配設することが、例えば実願昭６０−１２２４４７号（実開昭６２−３０００６号）のマイクロフィルム（特に第７図参照）、実願昭５９−５４０２５号（実開昭６０−１６７２８４号）のマイクロフィルム（特に第２図、第４図参照）等に示されているように本件出願前より周知の技術であることを勘案すると、［相違点２］についての検討で示したように、引用発明の隣り合うランプ保持部の間に配設された２つの係止部に代えて、引用例２に記載された脚片３の概ね中心位置に配設された１つの係止脚部４を採用する際、この１つの係止脚部４をランプ保持部の概ね中心位置に配設し、本願発明の相違点３に係る発明特定事項とすることに格別の困難性はないというべきである。
　
　そして、本願発明の作用効果について検討すると、引用発明、引用例２に記載された技術事項及び周知技術から当業者が予測できる範囲のものである。
　
　そうすると、本願発明は、引用発明、引用例２に記載された技術事項及び周知技術に基づいて、当業者が容易に発明をすることができたものである。
　　
６．むすび
　以上のとおり、本願発明については、特許法第２９条第２項の規定により特許を受けることができないから、本件出願の他の請求項に係る発明について検討するまでもなく、本件出願は拒絶されるべきものである。
　よって、結論のとおり審決する。